(57)【特許請求の範囲】
【請求項１】
第１、第２の利用者を含む複数の利用者がデジタル化した電子名刺を利用できる電子名刺発行管理サーバー装置であって、
前記電子名刺発行管理サーバー装置は、
端末から入力された前記第１の利用者の会員情報を受け付けて会員登録する会員情報登録手段と、
前記第１の利用者の端末からの電子名刺発行枚数情報を受け付ける発行枚数受付手段と、
会員登録された前記第１の利用者の前記会員情報をもとに前記電子名刺発行枚数情報に基づく枚数分、電子名刺ごとにユニークＩＤを付与して前記第１の利用者の電子名刺を作成発行する電子名刺作成発行手段と、
前記ユニークＩＤ付きの前記電子名刺のハッシュ値を前記電子名刺ごとに生成してブロックチェーンへ登録する電子名刺ハッシュ値生成登録手段と、
前記第１の利用者の操作する端末からの指示に基づいて、発行された前記電子名刺を第２の利用者が操作する端末に送信する発行電子名刺送信手段と、
を有することを特徴とする電子名刺発行管理サーバー装置。
【請求項２】
前記電子名刺作成発行手段は、
会員登録された前記第１の利用者の前記会員情報をもとに前記第１の利用者の前記電子名刺の原型を作成する電子名刺作成手段と、
前記第1の利用者が操作する端末からの指示に基づき、前記電子名刺の原型に基づいて前記電子名刺を発行する電子名刺発行手段と、
を有することを特徴とする請求項１電子名刺発行管理サーバー装置。
【請求項３】
前記電子名刺発行管理サーバー装置は、更に、前記電子名刺発行管理サーバー装置において作成された前記電子名刺の原型を前記第1の利用者が操作する端末に送信する電子名刺原型送信手段を有していることを特徴とする請求項２記載の前記電子名刺発行管理サーバー装置。
【請求項４】
前記電子名刺発行管理サーバー装置は、更に、
前記第1の利用者の前記電子名刺を受け取った前記第２の利用者が操作する端末からの同一性確認要求を受け付ける同一性確認要求受付手段と、
前記同一性確認要求受付手段で受け取った同一性確認要求に基づいて、前記第２の利用者が操作する端末が受け取った前記電子名刺のブロックチェーン上のハッシュ値を呼び出す電子名刺ハッシュ値呼出手段と、
前記電子名刺ハッシュ値呼出手段によって呼び出された前記ハッシュ値を、前記第２の利用者が操作する端末に送信する呼出ハッシュ値送信手段と、
を有することを特徴とする請求項１ないし３のいずれかの項記載の電子名刺発行管理サーバー装置。
【請求項５】
前記電子名刺発行管理サーバー装置は、更に、
前記第1の利用者の前記電子名刺を受け取った前記第２の利用者の端末からの同一性確認要求を受け付ける同一性確認要求受付手段と、
前記同一性確認要求受付手段で受け取った同一性確認要求に基づいて、前記第１の利用者の電子名刺のハッシュ値を再生成する電子名刺ハッシュ値再生成手段と、
前記同一性確認要求受付手段で受け取った同一性確認要求に基づいて、前記第２の利用者の端末が受け取った前記ブロックチェーン上の前記電子名刺のハッシュ値を呼び出す電子名刺ハッシュ値呼出手段と、
再生成された前記電子名刺のハッシュ値と前記ブロックチェーン上の前記電子名刺のハッシュ値を対比して前記電子名刺の同一性を判断するハッシュ値対比判断手段と、
前記ハッシュ値対比判断手段によって対比判断された結果を、前記第２の利用者の端末に送信するハッシュ値対比判断結果送信手段と、
を有することを特徴とする請求項1ないし４のいずれかの項記載の電子名刺発行管理サーバー装置。
【請求項６】
前記会員情報は、顔写真付き証明書と社会保険証書のいずれか少なくとも一つの画像情報を含むことを特徴とする請求項１ないし５のいずれかの項記載の電子名刺発行管理サーバー装置。
【請求項７】
前記電子名刺発行管理サーバー装置は、
前記会員情報と、前記顔写真付き証明書と前記社会保険証書との少なくとも一つに記載された情報との間に矛盾がないかチェックする矛盾有無チェック手段を有することを特徴とする請求項１ないし６のいずれかの項記載の電子名刺発行管理サーバー装置。
【請求項８】
前記電子名刺発行管理サーバー装置は、
前記第１の利用者の前記会員情報に基づいて会員証画像を生成する会員証画像生成手段と、
前記利用者の前記会員証画像のハッシュ値を生成する会員証画像ハッシュ値生成手段と、
前記会員証画像のハッシュ値をブロックチェーンに登録する会員証画像ハッシュ値登録手段と、
を有することを特徴とする請求項１ないし７のいずれかの項記載の電子名刺発行管理サーバー装置。
【請求項９】
前記電子名刺発行管理サーバー装置は、更に、発行された複数枚の電子名刺を一時的に保存する発行電子名刺保存手段を有していることを特徴とする請求項１記載の電子名刺発行管理サーバー装置。
【請求項１０】
第1の利用者と前記利用者が利用するサービスを提供するためのサービス事業者サーバー装置を運用する少なくとも一つのサービス事業者とが前記第１の利用者のデジタル化した電子名刺を利用できる電子名刺発行管理サーバー装置であって、
前記電子名刺発行管理サーバー装置は、
端末から入力された前記第１の利用者の会員情報を受け付けて会員登録する会員情報登録手段と、
前記第１の利用者の端末からの電子名刺発行枚数情報を受け付ける発行枚数受付手段と、
会員登録された前記第１の利用者の前記会員情報をもとに前記電子名刺発行枚数情報に基づく枚数分、電子名刺ごとにユニークＩＤを付与して前記第１の利用者の電子名刺を作成発行する電子名刺作成発行手段と、
前記ユニークＩＤ付きの前記電子名刺のハッシュ値を前記電子名刺ごとに生成してブロックチェーンへ登録する電子名刺ハッシュ値生成登録手段と、
前記第１の利用者が操作する端末からの指示に基づいて、発行された前記電子名刺を前記サービス事業者サーバー装置に送信する発行電子名刺送信手段と、
前記サービス事業者サーバー装置が受け取った前記電子名刺が真正なものであることを判別できるように、前記電子名刺のブロックチェーン上のハッシュ値を呼び出して、前記サービス事業者サーバー装置に送信するハッシュ値呼出送信手段と、
を有することを特徴とする電子名刺発行管理サーバー装置。
【請求項１１】
第1の利用者と前記第１の利用者が利用するサービスを提供するためのサービス事業者サーバー装置を運用する少なくとも一つのサービス事業者とが前記第１の利用者のデジタル化した電子名刺を利用できる電子名刺発行管理サーバー装置であって、
前記電子名刺発行管理サーバー装置は、
端末から入力された前記第１の利用者の会員情報を受け付けて会員登録する会員情報登録手段と、
前記第１の利用者の端末からの電子名刺発行枚数情報を受け付ける発行枚数受付手段と、
会員登録された前記第１の利用者の前記会員情報をもとに前記電子名刺発行枚数情報に基づく枚数分、電子名刺ごとにユニークＩＤを付与して前記第１の利用者の電子名刺作成発行する電子名刺作成発行手段と、
前記ユニークＩＤ付きの前記第１の利用者の前記電子名刺のハッシュ値を前記電子名刺ごとに生成してブロックチェーンへ登録する電子名刺ハッシュ値生成登録手段と、
前記第１の利用者が操作する端末からの指示に基づいて、発行された前記電子名刺を前記サービス事業者サーバー装置に送信する発行電子名刺送信手段と、
前記第1の利用者の前記電子名刺を受け取った前記サービス事業者サーバー装置からの同一性確認要求を受け付ける同一性確認要求受付手段と、
前記同一性確認要求受付手段で受け取った同一性確認要求に基づいて、前記第１の利用者の電子名刺のハッシュ値を再生成する電子名刺ハッシュ値再生成手段と、
前記同一性確認要求受付手段で受け取った同一性確認要求に基づいて、前記ブロックチェーン上の前記電子名刺のハッシュ値を呼び出す電子名刺ハッシュ値呼出手段と、
再生成された前記電子名刺のハッシュ値と前記ブロックチェーン上の前記電子名刺のハッシュ値を対比して前記電子名刺の同一性を判断するハッシュ値対比判断手段と、
前記ハッシュ値対比判断手段によって対比判断された結果を、前記サービス事業者サーバー装置に送信するハッシュ値対比判断結果送信手段と、
を有することを特徴とする電子名刺発行管理サーバー装置。
【請求項１２】
第1、第２の利用者を含む複数の利用者がデジタル化した電子名刺を利用できる電子名刺発行管理プログラムであって、
前記電子名刺発行管理プログラムは、
端末から入力された前記第１の利用者の会員情報を受け付けて会員登録する会員情報登録ステップと、
前記第１の利用者の端末からの電子名刺発行枚数情報を受け付ける発行枚数受付ステップと、
会員登録された前記第１の利用者の前記会員情報をもとに前記電子名刺発行枚数情報に基づく枚数分、電子名刺ごとにユニークＩＤを付与して前記第１の利用者の電子名刺を作成発行する電子名刺作成発行ステップと、
前記ユニークＩＤ付きの前記電子名刺のハッシュ値を前記電子名刺ごとに生成してそのハッシュ値をブロックチェーンへ登録する電子名刺ハッシュ値生成登録ステップと、
前記第1の利用者の操作する端末からの指示に基づいて、発行された前記電子名刺を第2の利用者が操作する端末に送信する発行電子名刺送信ステップと、
を有することを特徴とする電子名刺発行管理プログラム。
【請求項１３】
第1の利用者と前記第1の利用者が利用するサービスを提供するためのサービス事業者サーバー装置を運用する少なくとも一つのサービス事業者とが前記第１の利用者のデジタル化した電子名刺を利用できる電子名刺発行管理プログラムであって、
前記電子名刺発行管理プログラムは、
端末から入力された前記第１の利用者の会員情報を受け付けて会員登録する会員情報登録ステップと、
前記第１の利用者の端末からの電子名刺発行枚数情報を受け付ける発行枚数受付ステップと、
会員登録された前記第１の利用者の前記会員情報をもとに前記電子名刺発行枚数情報に基づく枚数分、電子名刺ごとにユニークＩＤを付与して前記第１の利用者の電子名刺を作成発行する電子名刺作成発行ステップと、
前記ユニークＩＤ付きの前記第１の利用者の前記電子名刺のハッシュ値を前記電子名刺ごとに生成してブロックチェーンへ登録する電子名刺ハッシュ値生成登録ステップと、
前記第１の利用者が操作する端末からの指示に基づいて、発行された前記電子名刺を前記サービス事業者サーバー装置に送信する発行電子名刺送信ステップと、
前記サービス事業者サーバー装置が受け取った前記電子名刺が真正なものであることを判別できるように、前記電子名刺のブロックチェーン上のハッシュ値を呼び出して、前記サービス事業者サーバー装置に送信するハッシュ値呼出送信ステップと、
を有することを特徴とする電子名刺発行管理プログラム。
【請求項１４】
第1の利用者と前記第１の利用者が利用するサービスを提供するためのサービス事業者サーバー装置を運用する少なくとも一つのサービス事業者とが前記第１の利用者のデジタル化した電子名刺を利用できる電子名刺発行管理プログラムであって、
前記電子名刺発行管理プログラムは、
端末から入力された前記第１の利用者の会員情報を受け付けて会員登録する会員情報登録ステップと、
前記第１の利用者の端末からの電子名刺発行枚数情報を受け付ける発行枚数受付ステップと、
会員登録された前記第１の利用者の前記会員情報をもとに前記電子名刺発行枚数情報に基づく枚数分、電子名刺ごとにユニークＩＤを付与して前記第１の利用者の電子名刺を作成発行する電子名刺作成発行ステップと、
前記ユニークＩＤ付きの前記第１の利用者の前記電子名刺のハッシュ値を前記電子名刺ごとに生成してブロックチェーンへ登録する電子名刺ハッシュ値生成登録ステップと、
前記第１の利用者が操作する端末からの指示に基づいて、発行された前記電子名刺を前記サービス事業者サーバー装置に送信する発行電子名刺送信ステップと、
前記第1の利用者の前記電子名刺を受け取った前記サービス事業者サーバー装置からの同一性確認要求を受け付ける同一性確認要求受付ステップと、
前記同一性確認要求受付ステップで受け取った同一性確認要求に基づいて、前記第１の利用者の電子名刺のハッシュ値を再生成する電子名刺ハッシュ値再生成ステップと、
前記同一性確認要求受付ステップで受け取った同一性確認要求に基づいて、前記ブロックチェーン上の前記電子名刺のハッシュ値を呼び出す電子名刺ハッシュ値呼出ステップと、
再生成された前記電子名刺のハッシュ値と前記ブロックチェーン上の前記電子名刺のハッシュ値を対比して前記電子名刺の同一性を判断するハッシュ値対比判断ステップと、
前記ハッシュ値対比判断ステップによって対比判断された結果を、前記サービス事業者サーバー装置に送信するハッシュ値対比判断結果送信ステップと、
を有することを特徴とする電子名刺発行管理プログラム。
0006850463.tif 000002
【発明の詳細な説明】
【技術分野】
【０００１】
この発明は電子名刺発行管理技術に関する。
【背景技術】
【０００２】
近年、ビジネスの多様な場面において、名刺交換が頻繁に行われており、例えば、お客様情報として名刺の内容をデータベース化するアプリケーションやシステムが提供されている。また、携帯電話などの携帯通信端末の機能が充実し、従来の紙名刺に代わり、電子データ化した電子名刺管理システムが提案されている。
【０００３】
電子名刺管理システムとしては、下記の特許文献１、特許文献２がある。
【０００４】
特許文献１は、紙名刺をスキャナ機能により読み取られた名刺イメージデータを蓄積し、蓄積した名刺イメージデータからＯＣＲ処理してデータベース化し、外部端末から閲覧等を行うことができるシステムが開示されており、名刺に記載された名刺情報を閲覧することができる。
【０００５】
特許文献２は、ネットワーク上のサーバに各ユーザ自身の名刺データを格納し、ユーザ同士が対面して名刺交換を行う場面において、携帯端末を取り出し、ＲＦＩＤ通信、ＱＲコード提示、メール送信などの電子的手段を用いて名刺データを名刺交換相手に提示し、携帯端末を用いてユーザ間で名刺データを相互に交換する名刺データ交換システムが提案されている。
【先行技術文献】
【特許文献】
【０００６】
【特許文献１】特開２００３―２９６３５３号公報
【特許文献２】特開２０１１―１９２１９５号公報
【発明の概要】
【発明が解決しようとする課題】
【０００７】
しかし、特許文献１による紙名刺のＯＣＲ処理による電子化も、特許文献２による電子名刺の交換も、名刺を利用する本人が本当の本人であると言う真正性を確認する手段がなく、相互の信頼性によってのみ成り立っている。今後のインターネットでの電子名刺の交換などの可能性をはじめとした電子化が進む中で、電子名刺における多方面への利用方法を編み出す上での大きな問題点となる。
【０００８】
したがって、本発明は上記の課題を解決するためになされたもので、利用者の真正性を確かなものにし、本人確認が取れた状態で名刺を提示することを目指す。これには紙の名刺においては多大な困難が伴う。したがって本発明では電子名刺により、本人確認が取れた状態で名刺を提示可能とする技術を提供することを目的とするものである。
【課題を解決するための手段】
【０００９】
上記課題を解決するために、第1の発明に係る電子名刺発行管理サーバー装置は、第1、第2の利用者を含む複数の利用者がデジタル化した電子名刺を利用できる電子名刺発行管理サーバー装置であって、上記電子名刺発行管理サーバー装置は、端末から入力された上記第１の利用者の会員情報を受け付けて会員登録する会員情報登録手段と、会員登録された上記第１の利用者の上記会員情報をもとに上記第１の利用者の電子名刺を作成発行する電子名刺作成発行手段と、上記電子名刺のハッシュ値を生成してブロックチェーンへ登録する電子名刺ハッシュ値生成登録手段と、上記第1の利用者の操作する端末からの指示に基づいて、発行された上記電子名刺を第2の利用者が操作する端末に送信する発行電子名刺送信手段と、を有することを特徴とする。
【００１０】
また、上記課題を解決するために、第2の発明に係る電子名刺発行管理サーバー装置は、第1の利用者と上記利用者が利用するサービスを提供するためのサービス事業者サーバー装置を運用する少なくとも一つのサービス事業者とが上記第１の利用者のデジタル化した電子名刺を利用できる電子名刺発行管理サーバー装置であって、上記電子名刺発行管理サーバー装置は、端末から入力された上記第１の利用者の会員情報を受け付けて会員登録する会員情報登録手段と、会員登録された上記第１の利用者の上記会員情報をもとに上記第１の利用者の電子名刺を作成発行する電子名刺作成発行手段と、上記第１の利用者の上記電子名刺のハッシュ値を生成してブロックチェーンへ登録する電子名刺ハッシュ値生成登録手段と、上記第１の利用者が操作する端末からの指示に基づいて、発行された上記電子名刺を上記サービス事業者サーバー装置に送信する発行電子名刺送信手段と、上記サービス事業者サーバー装置が受け取った上記電子名刺が真正なものであることを判別できるように、上記電子名刺のブロックチェーン上のハッシュ値を呼び出して、上記サービス事業者サーバー装置に送信するハッシュ値呼出送信手段と、を有することを特徴とする。
【００１１】
上記課題を解決するために、第３の発明に係る電子名刺発行管理サーバー装置は、第1の利用者と上記第１の利用者が利用するサービスを提供するためのサービス事業者サーバー装置を運用する少なくとも一つのサービス事業者とが上記第１の利用者のデジタル化した電子名刺を利用できる電子名刺発行管理サーバー装置であって、上記電子名刺発行管理サーバー装置は、端末から入力された上記第１の利用者の会員情報を受け付けて会員登録する会員情報登録手段と、会員登録された上記第１の利用者の上記会員情報をもとに上記第１の利用者の電子名刺作成発行する電子名刺作成発行手段と、上記第１の利用者の上記電子名刺のハッシュ値を生成してブロックチェーンへ登録する電子名刺ハッシュ値生成登録手段と、上記第１の利用者が操作する端末からの指示に基づいて、発行された上記電子名刺を上記サービス事業者サーバー装置に送信する発行電子名刺送信手段と、上記第1の利用者の上記電子名刺を受け取った上記サービス事業者サーバー装置からの同一性確認要求を受け付ける同一性確認要求受付手段と、上記同一性確認要求受付手段で受け取った同一性確認要求に基づいて、上記第１の利用者の電子名刺のハッシュ値を再生成する電子名刺ハッシュ値再生成手段と、上記同一性確認要求受付手段で受け取った同一性確認要求に基づいて、上記第2の利用者の端末が受け取った上記ブロックチェーン上の上記電子名刺のハッシュ値を呼び出す電子名刺ハッシュ値呼出手段と、再生成された上記電子名刺のハッシュ値と上記ブロックチェーン上の上記電子名刺のハッシュ値を対比して上記電子名刺の同一性を判断するハッシュ値対比判断手段と、上記ハッシュ値対比判断手段によって対比判断された結果を、上記サービス事業者サーバー装置の端末に送信するハッシュ値対比判断結果送信手段と、を有することを特徴とする。
【００１２】
更に、上記課題を解決するために、第４の発明に係る電子名刺発行管理プログラムは、第1、第2の利用者を含む複数の利用者がデジタル化した電子名刺を利用できる電子名刺発行管理プログラムであって、上記電子名刺発行管理プログラムは、端末から入力された上記第１の利用者の会員情報を受け付けて会員登録する会員情報登録ステップと、会員登録された上記第１の利用者の上記会員情報をもとに上記第１の利用者の電子名刺を作成発行する電子名刺作成発行ステップと、上記電子名刺のハッシュ値を生成してそのハッシュ値をブロックチェーンへ登録する電子名刺ハッシュ値生成登録ステップと、上記第1の利用者の操作する端末からの指示に基づいて、発行された上記電子名刺を第2の利用者が操作する端末に送信する発行電子名刺送信ステップと、を有することを特徴とする。
【００１３】
上記課題を解決するために、第５の発明に係る電子名刺発行管理プログラムは、第1の利用者と上記第1の利用者が利用するサービスを提供するためのサービス事業者サーバー装置を運用する少なくとも一つのサービス事業者とが上記第１の利用者のデジタル化した電子名刺を利用できる電子名刺発行管理プログラムであって、上記電子名刺発行管理プログラムは、端末から入力された上記第１の利用者の会員情報を受け付けて会員登録する会員情報登録ステップと、会員登録された上記第１の利用者の上記会員情報をもとに上記第１の利用者の電子名刺を作成発行する電子名刺作成発行ステップと、上記第１の利用者の上記電子名刺のハッシュ値を生成してブロックチェーンへ登録する電子名刺ハッシュ値生成登録ステップと、上記第１の利用者が操作する端末からの指示に基づいて、発行された上記電子名刺を上記サービス事業者サーバー装置に送信する発行電子名刺送信ステップと、上記サービス事業者サーバー装置が受け取った上記電子名刺が真正なものであることを判別できるように、上記電子名刺のブロックチェーン上のハッシュ値を呼び出して、上記サービス事業者サーバー装置に送信するハッシュ値呼出送信ステップと、を有することを特徴とする。
【００１４】
上記課題を解決するために、第６の発明に係る電子名刺発行管理プログラムは、第1の利用者と上記第１の利用者が利用するサービスを提供するためのサービス事業者サーバー装置を運用する少なくとも一つのサービス事業者とが上記第１の利用者のデジタル化した電子名刺を利用できる電子名刺発行管理プログラムであって、上記電子名刺発行管理プログラムは、端末から入力された上記第１の利用者の会員情報を受け付けて会員登録する会員情報登録ステップと、会員登録された上記第１の利用者の上記会員情報をもとに上記第１の利用者の電子名刺を作成発行する電子名刺作成発行ステップと、上記第１の利用者の上記電子名刺のハッシュ値を生成してブロックチェーンへ登録する電子名刺ハッシュ値生成登録ステップと、上記第１の利用者が操作する端末からの指示に基づいて、発行された上記電子名刺を上記サービス事業者サーバー装置に送信する発行電子名刺送信ステップと、上記第1の利用者の上記電子名刺を受け取った上記サービス事業者サーバー装置からの同一性確認要求を受け付ける同一性確認要求受付ステップと、上記同一性確認要求受付ステップで受け取った同一性確認要求に基づいて、上記第１の利用者の電子名刺のハッシュ値を再生成する電子名刺ハッシュ値再生成ステップと、上記同一性確認要求受付ステップで受け取った同一性確認要求に基づいて、上記第2の利用者の端末が受け取った上記ブロックチェーン上の上記電子名刺のハッシュ値を呼び出す電子名刺ハッシュ値呼出ステップと、再生成された上記電子名刺のハッシュ値と上記ブロックチェーン上の上記電子名刺のハッシュ値を対比して上記電子名刺の同一性を判断するハッシュ値対比判断ステップと、上記ハッシュ値対比判断ステップによって対比判断された結果を、上記サービス事業者サーバー装置の端末に送信するハッシュ値対比判断結果送信ステップと、を有する。
【発明の効果】
【００１５】
本発明により、電子的に受け取った名刺からブロックチェーン上のデータを利用して相手の情報の真正性の確認が可能になり、本人確認が取れた名刺を交換することが可能になる。特にインターネット上で電子名刺が交換された場合のなりすましの防止に役立つ。ブロックチェーンには紙の名刺のように発行枚数分が登録されてもよく、ここから相手に渡した名刺一枚一枚の真正性を確認できる。
【図面の簡単な説明】
【００１６】
【図１】本発明の一実施形態に係る電子名刺発行管理システムのシステム構成と電子名刺発行管理サーバー装置の機能構成を示す図である。
【図２】会員登録の処理の例を示す動作図である。
【図３】会員登録の画面遷移の一例を示す図である。
【図４】個人情報登録の一例とトップ画面例を示す図である。
【図５】本人確認認証の撮影を示す図である。
【図６】本人確認の認証が完了した場合の画面を示す。
【図７】法人会員登録と社員会員登録の処理の例を示す動作図である。
【図８】法人会員登録と社員会員登録の画面遷移の一例を示す図である。
【図９】自電子名刺原型作成の処理を示す動作図の例である。
【図１０】自電子名刺原型作成の画面遷移の一例を示す図である。
【図１１】自電子名刺を発行する場合を示す動作図の例である。
【図１２】自電子名刺の発行画面遷移の一例を示す。
【図１３】相手が非会員の場合の電子名刺交換時の処理を示す動作図の例である。
【図１４】相手が紙名刺を使った場合の名刺撮影時の画面遷移を示す表示例である。
【図１５】相手の会員登録後に電子名刺を渡す画面遷移を示す例である。
【図１６】会員同士の電子名刺交換処理の動作図を示す例である。
【図１７】会員同士の電子名刺交換処理の利用者Ａが送る場合の画面遷移例を示す。
【図１８】会員同士の交換処理の利用者Ｂが送る場合の画面遷移の表示例を示す。
【図１９】サービス申請の動作図の例を示す。
【図２０】サービス事業者へサービスを申し込む時の画面遷移の例を示す。
【図２１】サービス利用処理を示す動作図の一例である。
【図２２】登録したサービスを利用する画面遷移を示す表示例である。
【図２３】サービス事業者メッセージ画面を示す表示例である。
【図２４】無人端末を使ったサービス利用処理を示す動作図である。
【図２５】登録したサービスの無人端末を利用した画面遷移を示す表示例である。
【発明を実施するための形態】
【００１７】
本発明における電子名刺は、人と人のビジネスの様々な場面に頻繁に使われている従来の紙名刺の授受をデジタル化して、さらに店舗やイベント会場などの入場管理やゲームをはじめとした数多くのサービスにも利用できる。
【００１８】
以下、図面を用いて本発明を実施するための形態を説明する。
【００１９】
動作図は動作を示すシーケンス図を使って表し、四角で囲った内容は内部処理を意味し、矢印線は送信内容を意味する。端末やサーバーなどのオブジェクトから下向きに引かれるラインはプロセスが上から下に流れるものとする。
【００２０】
本説明では必要な場合に、主に名刺を送る側の第１の利用者を利用者Ａとし、主に名刺を受け取る側の第２の利用者を利用者Ｂもしくはサービス事業者Ｃに、区別して説明する。
【００２１】
図１は、本発明の一実施形態である電子名刺発行管理システムのシステム構成図１と電子名刺発行管理サーバー装置１６の機能構成図１６ｆである。
【００２２】
システム構成図１は、複数の利用者を前提とし、ここでは利用者Ａの１１が利用者端末１１１（例えばスマートフォンやウエアラブル端末）を有し、利用者Ｂの１２が利用者端末１２１（例えばスマートフォンやウエアラブル端末）を有し、サービス事業者Ｃである１３が利用者端末１３１（例えばスマートフォンやウエアラブル端末）と無人端末１３２（自動受付端末や自動ゲートなど）を有し、利用者端末の場合はそれぞれ紙名刺を有していることを前提とするが、紙名刺を有していない場合は簡易名刺デザインツールを用意してデジタル的に名刺画像を用意しても良く、利用者端末１１１と利用者端末１２１と利用者端末１３１は電子名刺発行管理サーバー装置１６のウエブシステムを実行できるし、事前にアプリを配信してインストールしても良く、これらは携帯電話網、インターネットなどの通信ネットワーク１４を介して接続されており、ネットワークの中ではブロックチェーン１４１に接続していてもよく、サービス事業者サーバー装置１５または電子名刺発行管理サーバー装置１６とに接続され、電子名刺発行管理サーバー装置１６ではＡＰＩ（アプリケーションインターフェイス）を備えておりサービス事業者サーバー装置１５へ装備している。無人端末１３２は、事前にアプリを配信してインストールしても良く、これらは携帯電話網、インターネットなどの通信ネットワーク１４を介してサービス事業者サーバー装置１５または電子名刺発行管理サーバー装置１６へ接続されており、操作は遠隔から可能である。利用者端末１１１と利用者端末１２１と利用者端末１３１は利用者を特定しない場合は単に利用者端末と呼ぶ。また図中で利用者端末の形や角度を表す場合に端末例５０２などと表記する場合もある。
【００２３】
本実施形態の利用者Ａの利用者端末１１１と利用者Ｂの利用者端末１２１とサービス事業者Ｃの利用者端末１３１は、通信、カメラの機能を有するもので、メール、ウェブ、ＳＭＳ（ショートメッセージサービス）と二次元コードであるＱＲコード（登録商標）の読み取りアプリケーションが作動し、インターネットを介して電子名刺発行管理サーバー装置１６と接続しており、同時にインターネット上のサービス事業者が運営しているサービスと接続している。
【００２４】
前記ＱＲコードの表示方法には、送信する側の端末が上記ＱＲコードを表示する場合と相手の端末が前記ＱＲコードを表示する二通りのケースがあるが、以下の説明では送信する先の端末に前記ＱＲコードを表示してそのアドレスに通信し、電子名刺を送信先端末へ表示する方法で説明する。ただし、送信する先の端末ではなく送信する側に上記ＱＲコードを表示し、それを送信先が読むことで電子名刺を送信先端末に表示する方法でも良い。
【００２５】
本実施形態における電子名刺送信手段は、上記ＱＲコードにより送信先を特定して近距離及び遠隔地への通信を行うが、近距離無線通信技術（例えばアップル社のエアドロップ技術などが挙げられる）で送信先を特定して近距離通信を行う方法や、電子メールやＳＮＳ（ソーシャルネットワークサービス）によって遠隔地の送信先を特定して通信を行う方法を利用しても良い。
【００２６】
サービス事業者のサービス利用時には、前記サービス事業者サーバー装置１５に予め設置してある前記電子名刺発行管理サーバー装置のＡＰＩ（アプリケーションインターフェイス）により、サービス事業者サーバー装置が容易に前記電子名刺発行管理サーバー装置１６に接続できる。
【００２７】
電子名刺発行管理サーバー装置１６のデータベースには、各利用者のプロフィールに基づいて、電子名刺のデータが保管される。
【００２８】
通信ネットワーク１４はインターネットを介したネットワークで、その中ではブロックチェーン１４１（分散型台帳データベース）が存在する。
【００２９】
ブロックチェーンは過去のデータを改ざんすることのできない仕組みを持つインターネット上の分散型台帳データベースである。
【００３０】
前記電子名刺発行管理システムにおけるブロックチェーン技術の利用においては、スマートコントラクトによるファンジブルトークン（代替性トークン）またはノンファンジブルトークン（非代替性トークン）を利用しても良い。
【００３１】
ブロックチェーンは電子名刺発行管理サーバー装置１６がインターネットを介して接続を行うが、利用者端末がインターネットを介して直接ブロックチェーンへ接続を行うことでも良い。
【００３２】
ブロックチェーンは技術的に開放されていればパブリックチェーン（イーサリアムなどの自由参加の合意形成チェーン）でもプライベイトチェーン（単独企業の運営チェーン）でもコンソーシアムチェーン（複数企業の合意形成によるチェーン）でも良い。
【００３３】
利用者端末のソフトウエア動作機能はウェブアプリでも一部を除き端末アプリでも良い。
【００３４】
サービス事業者サーバー装置１５は、インターネットを介して電子名刺発行管理サーバー装置１６と接続している。
【００３５】
サービス事業者サーバー装置１５は、電子名刺発行管理サーバー装置１６のＡＰＩ（アプリケーションインターフェイス）を事前に組み込み、電子名刺発行管理サーバー装置１６と接続しているが、ブロックチェーン１４１と直接接続しても良い。
【００３６】
サービス事業者は、サービス管理システム、メールシステム、検索システム、画像クラウドシステム、郵便番号変換システムなどを含む外部システムを含んだ事業者を範囲とする。
【００３７】
本実施形態における電子名刺発行管理サーバー装置１６の機能構成図１６ｆは、電子名刺会員登録を行う会員情報登録部１６１ｆと、電子名刺の作成と発行を担う電子名刺作成発行部１６２ｆと、電子名刺の本人真正性を確認するための同一性確認部１６３ｆと、発行された電子名刺を送信するための発行電子名刺通信部１６４ｆと、電子名刺を利用してサービス事業者のサービスを利用するためのサービス通信部１６５ｆと、電子名刺情報などを格納するデータベース１６６ｆと、で構成される。
【００３８】
会員情報登録部１６１ｆは、会員登録機能と、法人会員登録機能と、会員証画像生成機能と、会員証画像ハッシュ値登録機能と、矛盾有無チェック機能と、で電子名刺会員登録を行う機能を有する。
【００３９】
電子名刺作成発行部１６２ｆは、電子名刺作成機能として、自名刺画像受付機能と、電子名刺原型作成機能と電子名刺原型送信機能と、を有し、加えて、電子名刺発行機能として、電子名刺発行枚数受付機能と、ユニークＩＤ付生成機能と、発行電子名刺保存機能と、で電子名刺の作成発行を行う機能を有する。
【００４０】
同一性確認部１６３ｆは、電子名刺ハッシュ値生成登録機能として、電子名刺ハッシュ値生成機能と、電子名刺ハッシュ値登録機能と、を有し、加えて、電子名刺ハッシュ値再生成機能と、同一性確認要求受付機能と、ハッシュ値対比判断機能と、ハッシュ値対比結果送信機能と、で電子名刺会員登録を行う機能を有する。
【００４１】
発行電子名刺通信部１６４ｆは、ＱＲコード生成読取機能と、発行電子名刺送信機能と、電子名刺ハッシュ値呼出機能と、呼出ハッシュ値送信機能と、で電子名刺送信を行う機能を有する。
【００４２】
サービス通信部１６５ｆは、サービス事業者サーバー装置接続機能と、サービス申請機能と、サービス利用機能と、ハッシュ値呼出送信機能と、でサービス事業者のサービスの申請と利用を行う機能を有する。
【００４３】
データベース１６６ｆは、電子名刺発行管理サーバー装置１６の管理する電子名刺発行管理のための利用者の会員情報である基本情報（例えば、氏名、メールアドレス、電話番号など）と組織情報（例えば、会社名、メールアドレス、電話番号、所属、役職名など）と、顔写真付き証明書、本人社会保険証書、本人の顔写真などの電子名刺発行管理情報を格納する。
【００４４】
電子名刺作成発行部１６２ｆの電子名刺原型送信機能と、発行電子名刺通信部１６４ｆの発行電子名刺送信機能などは、構成の一部が同一のハードウェアや同一のソフトウェアモジュールであってもよい。同様に、ある手段が、他の手段と、ハードウェア構成の一部またはソフトウェアモジュールの一部を共用していてもよい。
【００４５】
次に、本実施形態の処理について説明する。
【００４６】
図２は、利用者が個人情報により電子名刺の会員登録を行い、本人確認登録と所属確認登録を行う会員情報登録ステップを示す動作図の一例である。電子名刺発行管理サーバー装置１６の機能構成図１６ｆの会員情報登録部１６１ｆの会員登録機能と、会員証画像生成機能と、会員証画像ハッシュ値登録機能と、矛盾有無チェック機能と、により電子名刺会員登録を行う。図示する例では、利用者Ａが利用者端末１１１で電子名刺発行管理サーバー装置１６へ会員登録を行い、個人情報データを送信し、会員証画像生成手段と、会員情報登録部１６１ｆの会員証画像ハッシュ値生成機能と、会員情報登録部１６１ｆの会員証画像ハッシュ値登録機能とで、会員証情報をハッシュ化（ある一定のアルゴリズムによる暗号計算で逆戻りができないコード生成）してブロックチェーン１４１へ会員証登録を行うものである。
【００４７】
上記会員情報は、テキストデータだけでもよいし、画像情報を含んでもよい。画像情報として紙名刺や自動車運転免許証や社会保険証書などを撮影した写真画像であってもよいし、自撮り顔写真のセルフィー画像であってもよい。
【００４８】
会員情報の登録時にその時点で運用している名刺を撮影し、さらに本人の顔を一緒にしたセルフィー画像で撮影して画像を解析しても良い。この説明では後に説明する自電子名刺登録時に名刺の登録と解析を行う。
【００４９】
会員は法人登録であっても良く、その場合は法人会員が社員会員を登録する。法人登録の例は後述の項で説明する。以降では特に断りがない限り会員とは個人会員を示す。
【００５０】
未登録の利用者Ａは利用者端末１１１で電子名刺の初期画面ＵＲＬを電子名刺発行管理サーバー装置１６へリクエスト（図２のＳ２０３）し、電子名刺発行管理サーバー装置１６が電子名刺初期画面を利用者端末１１１へ送信（Ｓ２０４）し、電子名刺の初期画面である画面３０１（ａ）を表示する。
【００５１】
図３の前記画面３０１（ａ）は利用者Ａが初めて電子名刺にアクセスした時の画面で、「会員登録」ボタンから電子名刺会員登録画面を電子名刺発行管理サーバー装置１６へ要求（Ｓ２０５）し、前記電子名刺会員登録画面から電子名刺会員登録画面を送信する（Ｓ２０６）。画面３０２（ｂ）は前記電子名刺会員登録画面であり、電子名刺の会員登録のための利用者Ａの携帯電話番号と氏名と個人メールアドレスとログインパスワードを入力する（Ｓ２０７）。「新しいパスワード」ボタンをタップすると自動でランダムに初期パスワードを生成する。
【００５２】
次に前記電子名刺会員登録画面の「次へ」ボタンで会員プロフィールを入力する画面３０３（ｃ）に遷移し、利用者Ａのふりがなと自己メールアドレスと電話番号と生年月日と住所を入力後「登録」ボタン（Ｓ２０７）をタップすることで、電子名刺発行管理サーバー装置１６のデータベース１６６ｆへデータが格納され、利用者Ａの会員情報の仮登録登録（Ｓ２０８）が行われ仮会員ＩDが生成され、電子名刺発行管理サーバー装置１６の会員情報登録部１６１ｆの機能である会員証画像生成機能により仮会員証画像が生成（Ｓ２０９）される。
【００５３】
画面３０４（ｄ）は仮登録された会員情報の仮会員ＩDと仮会員証画像が電子名刺発行管理サーバー装置１６から利用者端末１１１へ送信され（Ｓ２１０ ）表示され、同時にＳＭＳで登録完了用ＵＲＬと会員ＩDと仮会員証画像と初期パスワードが通知される旨のメッセージが表示される。
【００５４】
画面３０５（ｅ）はＳＭＳメッセージで通知された登録完了用ＵＲＬにアクセスして表示させた利用者Ａの利用者端末１１１のログイン画面である。ここで再ログイン（Ｓ２１１）することで本登録となる。
【００５５】
図４の画面４０１（ａ）は会員情報が仮登録された後に再ログインした後の利用者Ａの利用者端末１１１の画面であり、会員証情報をブロックチェーン１４１に登録するための画面でもあり、「登録」ボタンをタップすることでブロックチェーン１４１への登録要求が電子名刺発行管理サーバー装置１６へ送られ（Ｓ２１２）、ブロックチェーン１４１へ会員証情報の登録が行われる。
【００５６】
会員証情報は画像を含んでもよく、ブロックチェーン１４１へ利用者Ａの会員証情報の登録のために、会員情報登録部１６１ｆの会員証画像ハッシュ値生成機能により上記会員情報をハッシュ化（Ｓ２１３）して、会員情報登録部１６１ｆの会員証画像ハッシュ値登録手段でトランザクションを作成しブロックチェーン１４１上に送付し（Ｓ２１４）、ブロードキャスト（分散化されたネットワークに取引データを送信すること）（Ｓ２１５）され、ブロックチェーン１４１上にハッシュ値を含めた会員情報が登録される。登録が確定（Ｓ２１６）すると会員情報登録部１６１ｆの会員登録機能により登録完了画面を利用者Ａの利用者端末１１１へ送信する（Ｓ２１７）。会員情報が変更時にはブロックチェーン１４１へ最新の会員情報の登録を行う。
【００５７】
画面４０２（ｂ）はブロックチェーン１４１へ会員情報が登録完了したことを示す登録完了画面であり、会員証画像とブロックチェーン１４１上のアドレスが表示される。
【００５８】
前記画面４０２（ｂ）の「トップ」ボタンで画面４０３の電子名刺のトップ画面に遷移し、前記画面４０３（ｃ）の「ＢＣ確認」ボタンをタップすることで同一性確認部１６３ｆの同一性確認要求機能によって、電子名刺発行管理サーバー装置１６へブロッックチェーンに対する確認要求（Ｓ２１８）を送ることができる。
【００５９】
次に同一性確認要求受付ステップが実行され、電子名刺発行管理サーバー装置１６に構成されている同一性確認部１６３ｆの同一性確認要求受付機能により、まず前記会員証画像をハッシュ化し、次にブロックチェーン１４１上に登録されている前記会員情報のハッシュ値（ここから以降、ブロックチェーン１４１上から呼び出した、呼出ハッシュ値のことをＢＣハッシュ値と呼ぶ）を呼び出す（Ｓ２１９）。
【００６０】
その会員証情報のハッシュ値と呼び出しハッシュ値であるＢＣハッシュ値の双方を比較し同一性を確認（Ｓ２１８−１）し、その結果を前記利用者端末の画面４０４に表示（Ｓ２２０）する。このことで利用者は正しくブロックチェーン１４１上へ会員情報が登録されたか否かが確認できる。前記画面４０４（ｄ）の「戻る」ボタン（Ｓ２２１）で電子名刺のトップ画面に遷移する（Ｓ２２２）。
【００６１】
次に、利用者の本人情報登録の処理に移る。
【００６２】
前記画面４０３（ｃ）の電子名刺トップ画面の「本人情報」ボタンで本人情報処理要求（Ｓ２２３）を前記電子名刺発行管理サーバー装置１６へ送り、図５の画面５０１（ａ）である本人情報画面が表示（Ｓ２２３−１）される。
【００６３】
本人情報登録のために、顔写真付き証明書（運転免許証やマイナンバーカードやパスポートなど）と、社会保険証書（本人の氏名と生年月日と所属組織の名称を含む雇用保険被保険者証書など公的に所属認証された証書）の本人情報登録証書２通を用意する。
【００６４】
顔写真付き証明書は本人確認のためであり、社会保険証書は所属確認のためである。画面５０１（ａ）は本人情報登録のための画面で、端末例５０２（ｂ）の利用者端末のバックカメラにより、顔写真付き証明書と社会保険証書の撮影（Ｓ２２４）を行う。さらに画面５０３（ｃ）でフロントカメラ機能を持つ端末例５０４（ｄ）により顔写真付き証明書と、本人の顔を一緒にしたセルフィー撮影が行われても良い。
【００６５】
図６は、前記本人情報登録証書２通の画像を電子名刺発行管理サーバー装置１６へ送信して検証する一例を示す。
【００６６】
画面６０１（ａ）で撮影した前記本人情報登録証書２通を前記電子名刺発行管理サーバー装置１６へ送信し（Ｓ２２５）、電子名刺発行管理サーバー装置１６のデータベース１６６ｆへデータが格納され、次に前記電子名刺発行管理サーバー装置１６の会員情報登録部１６１ｆの矛盾有無チェック機能により前記本人情報登録証書２通とセルフィー画像がある場合はこれも合わせて解析（Ｓ２２６）し文字はテキスト化し、会員証情報６０７とも比較（Ｓ２２７）する。比較項目は氏名、生年月日、住所、性別、顔画像など。
【００６７】
結果が不一致の場合は警告（Ｓ２２８）を表示する。一致した場合は電子的に本人確認証書を生成し（Ｓ２２９）、上記本人確認証書をデータベース１６６ｆへ格納し、上記本人確認証書をハッシュ化し（Ｓ２３０）、トランザクションを生成し、ブロックチェーン１４１に送信し（Ｓ２３２）、ブロードキャストされることで（Ｓ２３３）、上記本人確認証書の登録後に、ブロックチェーン１４１から本人確認証書のハッシュ値を呼び出し、データベース１６６ｆの本人確認証書のハッシュ値と、を比較することにより、上記本人確認証書の真正性とブロックチェーン上のタイムスタンプの確認が可能になる。画面６０２（ｂ）はブロックチェーン１４１への登録完了の画面であり、本人情報登録が完了する（Ｓ２３４）。
【００６８】
図７は法人登録の動作図である。図８は法人会員の場合の画面の遷移を示す。会員情報登録部１６１ｆの、法人会員登録機能により電子名刺会員登録を行う
【００６９】
図３の画面Ｇ３０１（ａ）にある「法人」ボタン（Ｓ７１１）で図８の画面８２１（ａ）（Ｓ７１２）へ遷移する。法人会員の入会を行うための前記画面８２１（ａ）（Ｓ７１２）で仕事のメールアドレス、氏名、会社名、事業部、部署名、役職、パスワードを入力（Ｓ７１３）し、電子名刺発行管理サーバー装置１６のデータベース１６６ｆへデータが格納され、法人会員の登録準備が行われる。
【００７０】
前記画面８２１（ａ）の「登録」ボタンで法人会員の仮登録（Ｓ７１４）が行われ、登録の仕事のメールに本登録用のメッセージが送付（Ｓ７１５）される。メールに記載のＵＲＬから画面８２２（ｂ）が表示され再ログイン（Ｓ７１６）し、本登録が完了し法人会員証がメールで送付（Ｓ７１８）され、画面８２３（ｃ）が表示（Ｓ７１９）される。
【００７１】
法人会員は自社内の社員に対して前記画面８２３の法人会員画面で「社員登録」を行う。
【００７２】
前記画面８２３（ｃ）の「社員登録」ボタンで画面８２４（ｄ）の社員登録一覧画面に遷移し、「追加」から社員一覧画面に遷移し、「＋」を押して画面８２５（ｅ）へ遷移して社員コードと氏名を入力（Ｓ７２０ ）して「登録」ボタンで社員が登録（Ｓ７２１）される。一件の登録が完了すると画面８２４（ｄ）へ遷移し、登録済の社員を確認（Ｓ７２２）できる。社員登録されたデータは個人データと同一のデータベースに保存されても良く、会員区分により会員と社員会員に区分けされる。
【００７３】
図９は個人利用者及び法人利用者の自電子名刺原型登録の動作の一例であり、電子名刺作成発行ステップの中の電子名刺作成ステップとなる。電子名刺発行管理サーバー装置１６の電子名刺作成発行部１６２ｆの電子名刺作成発行機能の前段階である電子名刺作成機能である。
【００７４】
ここでは紙の名刺を利用するが、紙の名刺を作らない利用者に対しては名刺デザインツールを用意して電子名刺画像を生成しても良く、電子名刺画像を生成した場合は電子名刺作成発行部１６２ｆの電子名刺原型送信機能により利用者の端末に電子名刺画像を送信する。
【００７５】
前記図９の利用者端末１１１により電子名刺トップ画面４０３（ｃ）から「電子名刺原型作成」ボタンにより電子名刺発行管理サーバー装置１６へ電子名刺原型作成の要求が送信（Ｓ９０１）され、前記電子名刺発行管理サーバー装置１６から電子名刺原型作成画面１００１（ａ）が送信（Ｓ９０１−１）され、今回の電子名刺原型の最新番号が利用者端末１１１に表示（Ｓ９０１−２）される。
【００７６】
撮影する利用者端末である画面例１００２（ｂ）は、バックカメラで利用者の紙の名刺を撮影（Ｓ９０１−３）する一例である。
【００７７】
電子名刺作成発行部１６２ｆの電子名刺原型作成機能で前記電子名刺原型の作成の都度、登録番号がカウントアップする。電子名刺作成発行部１６２ｆの自名刺画像受付機能で撮影した画像は電子名刺発行管理サーバー装置１６へ画像を送信（Ｓ９０２）し、電子名刺発行管理サーバー装置１６のデータベース１６６ｆへデータが格納され、解析（Ｓ９０３）する。解析結果は電子名刺発行管理サーバー装置１６から画面１００４（ｃ）と、画面１００５（ｄ）へ送信（Ｓ９０４）され、解析された文字情報を表示する。データは修正が可能であり、各必要項目を修正追加（Ｓ９０５）する。
【００７８】
前記画面１００５（ｄ）の「保存」ボタンで前記電子名刺発行管理サーバー装置１６に自電子名刺情報の送信（Ｓ９０６）が行われ、ここで、本人確認時に社会保険証書により解析した所属内容と名刺登録時の所属情報の同一性の比較（Ｓ９０７）を行う。結果を所属確認フラグとして電子名刺発行管理サーバー装置１６に保存（Ｓ９０８）する。
【００７９】
所属確認が完了した後に電子名刺発行管理サーバー装置１６のデータベースへ電子名刺原型情報を保管し、電子名刺作成発行部１６２ｆの電子名刺原型送信機能によって、所属確認フラグと共に電子名刺原型情報を上記電子名刺発行管理サーバー装置１６から利用者端末１１１へ送信（Ｓ９１０ ）し、画面１００６（ｅ）へ遷移し、作成完了の電子名刺原型画像を表示（Ｓ９０９）する。
【００８０】
図１１は、自電子名刺の発行処理を示す動作図であり、電子名刺作成発行ステップの中の電子名刺発行ステップである。電子名刺発行管理サーバー装置１６の電子名刺作成発行部１６２ｆの電子名刺作成発行機能の後段階である電子名刺発行機能である。
【００８１】
図１２は自電子名刺の発行を行う画面遷移の一例を示す。
【００８２】
会員登録された利用者が電子名刺発行管理システムにログインしトップ画面を要求（Ｓ１１０１）すると、利用者端末に図４の画面４０３が表示し、名刺発行ボタンをタップすると、図１２の画面１２０１（ａ）の名刺発行の画面（Ｓ１１０２）に遷移し、過去の自電子名刺発行履歴が利用者端末にダウンロードされる。
【００８３】
図１２の画面１２０１（ａ）で、自己の過去の電子名刺が複数あれば一つを選択し（Ｓ１１０４）電子名刺の情報が表示される。
【００８４】
利用者は、内容を確認し「準備」ボタンをタップする（Ｓ１１０６）と、画面１２０２（ｂ）の電子名刺の発行準備画面へ遷移（Ｓ１１１２）する。
【００８５】
電子名刺発行管理サーバー装置１６に構成された電子名刺作成発行部１６２ｆの発行枚数受付機能によって、画面１２０２（ｂ）で電子名刺発行枚数情報として発行枚数を入力し（Ｓ１１０５）「作成」ボタンをタップすると（Ｓ１１０６）、電子名刺作成発行部１６２ｆのユニークＩＤ付生成機能で一枚ずつ発行記号の異なるユニークＩＤを付与した名刺を生成し、枚数分の電子名刺画像が電子名刺作成発行部１６２ｆの発行電子名刺保存機能によって電子名刺発行管理サーバー装置１６へ作成保存される。次に電子名刺ハッシュ値生成登録ステップにより、同一性確認部１６３ｆの電子名刺ハッシュ値生成登録機能で、この画像をハッシュ化（Ｓ１１１５）してトランザクションを生成し（Ｓ１１１６）、送信（Ｓ１１１７）し、ブロードキャストされる（Ｓ１１１８）。次に電子名刺作成発行部１６２ｆの電子名刺発行機能によって指定複数枚数分ブロックチェーン１４１上に登録され（Ｓ１１１９）、画面１２０３（ｃ）が表示（Ｓ１１１６）。利用者の利用者端末に在庫枚数を表示する（Ｓ１１２０ ）。
【００８６】
名刺１２０４は発行された電子名刺の表示の一例であり、下段の発行番号の領域は電子名刺発行管理サーバー装置１６への保存やハッシュ化してブロックチェーン１４１に登録する場合は含むが、通常利用者端末の表示には現れない。
【００８７】
ここでは電子名刺作成発行部１６２ｆのユニークＩＤ付生成機能によって一枚ずつ発行記号の異なる、ユニークＩＤを付与した名刺をブロックチェーン１４１に登録する例を示す。必ずしも枚数分をブロックチェーン１４１に登録しなくても良い。
【００８８】
図１３は、相手が非会員の場合の電子名刺交換の処理を示す動作図であり、発行電子名刺送信ステップとなる。利用者Ａの周囲の名刺利用者における名刺の運用が、紙名刺が大半と思われる状態ではこのパターンが一般の運用になる。発行電子名刺通信部１６４ｆの、ＱＲコード生成読取機能と、発行電子名刺送信機能と、電子名刺ハッシュ値呼出機能と、により電子名刺の送信を行う。
【００８９】
図１４は利用者Ａが、利用者Ｂの紙の名刺から電子名刺へ移行を行う画面遷移の一例を示す。
【００９０】
利用者Ａである利用者１４０１は利用者Ｂである利用者１４０３と対面しており、利用者Ａは利用者Ｂが持っている紙の名刺１４０２を受け取る（ここでは現状の一般的であると思われる相手が紙の名刺運用をしていることを前提に説明する）。
【００９１】
利用者Ａは電子名刺の会員登録が完了しているものとし、利用者Ａはあらかじめ電子名刺発行管理システムにログインしているものとする（Ｓ１３０１）。
【００９２】
利用者Ａの利用者端末１１１は実際に撮影する場合は近距離（２０cmから３０cmほど）に受け取って机上などに置かれた利用者Ｂの紙の名刺１４０５を、バックカメラを装備し撮影画面が準備された利用者Ａの端末例１４０４（ａ）で撮影（Ｓ１３０２）する。
【００９３】
ここで利用者Ｂの紙の名刺のために特別な処理を行う。
【００９４】
利用者Ａの利用者端末１１１の画面１４０６（ｂ）に撮影する利用者Ｂの名刺が表示され、名刺交換する場所も同時に設定して「登録」ボタンをタップ（Ｓ１３０２−１）すると、利用者Ｂの紙の名刺画像が電子名刺発行管理サーバー装置１６へ送信され（Ｓ１３０３）、上記電子名刺発行管理サーバー装置１６のデータベース１６６ｆへ利用者Ｂの紙名刺の画像データが格納され、利用者Ｂのアドレスが生成され（Ｓ１３０４）、仮の電子名刺会員登録が行われ（Ｓ１３０４−１）、利用者Ｂ用にＵＲＬを生成（Ｓ１３０４−２）し、発行電子名刺通信部１６４ｆのＱＲコード生成読取機能で、利用者Ａの利用者端末１１１にＵＲＬから生成したＱＲコードが送信（Ｓ１３０４−３）され、この上記ＱＲコードで利用者Ｂの利用者端末１１２のウエブシステムで利用者Ｂのアドレスにアクセス可能となる。  
【００９５】
次に電子名刺ハッシュ値生成登録ステップにより、同一性確認部１６３ｆの電子名刺ハッシュ値生成機能で電子名刺発行管理サーバー装置１６において名刺情報がハッシュ化（Ｓ１３０５）され、同一性確認部１６３ｆの電子名刺ハッシュ値登録機能でトランザクションが送信（Ｓ１３０６）され、ブロックチェーン１４１にブロードキャスト（Ｓ１３０７）される。上記電子名刺発行管理サーバー装置１６がブロックチェーン１４１から確定通知を受け取り（Ｓ１３０８）、利用者Ａの利用者端末１１１にサーバー登録完了画面１４０７（ｃ）を表示する。
【００９６】
画面１４０７（ｃ）の「ＱＲコード表示」ボタンをタップすると、利用者Ａの画面１４０８（ｄ）が表示され（Ｓ１３１１）、発行電子名刺通信部１６４ｆのＱＲコード生成読取機能で、利用者Ｂが読み取るためのＱＲコードが生成され、表示される。
【００９７】
図１５は利用者Ｂが、利用者Ａの電子名刺を受け取り、会員登録に至る一例を示す。
【００９８】
利用者Ａの画面１５０１（ａ）の端末に準備された利用者Ｂのための電子名刺のＵＲＬであるＱＲコードを、利用者Ｂは利用者Ｂの利用者端末１１２の汎用カメラまたはＱＲコードリーダーで読み（Ｓ１３０９）、利用者Ｂの画面１５０３（ｃ）の画面が表示され、上記汎用カメラまたは前上記ＱＲコードリーダーにより解析されたＵＲＬをアクセスし（Ｓ１３１０）、電子名刺発行管理サーバー装置１６へ接続し、利用者Ｂの画面１５０４（ｄ）に利用者Ａのための受取りアドレスのＱＲコードが表示された、電子名刺受取り画面として表示（Ｓ１３１２）する。
【００９９】
利用者Ａの利用者端末１１１は利用者Ｂの利用者端末１１２の上記画面１５０４（ｄ）に表示されている利用者Ｂの受取りアドレスを読み取る（Ｓ１３１３）と、発行電子名刺通信部１６４ｆの発行電子名刺送信機能により、電子名刺発行管理サーバー装置１６へ利用者Ｂの受取りアドレスを送信し（Ｓ１３１５）、電子名刺発行管理サーバー装置１６はＳＭＳで利用者Ｂの利用者端末１１２へ利用者Ａのアドレスを送信（Ｓ１３１５−１）し、利用者ＢはＳＭＳに記載されたＵＲＬにアクセスし、利用者Ａの電子名刺情報を要求（Ｓ１３１５−２）し、画面１５０５（ｅ）の電子名刺受取り画面が送信（Ｓ１３２０）される。ＳＭＳを利用せずに直接上記画面１５０５（ｅ）にアクセスしても良い。結果、利用者Ｂの利用者端末１１２の電子名刺受取り画面の上記画面１５０５（ｅ）に利用者Ａの電子名刺が表示（Ｓ１３２１）される。
【０１００】
利用者Ｂの上記画面１５０５（ｅ）は利用者Ａの名刺の受取り完了画面であり、ここで利用者Ｂが「受取り確認」ボタンをタップすると、利用者Ｂの利用者端末１１２は電子名刺発行管理サーバー装置１６へ受取り確認依頼を送信し（Ｓ１３２３）、次に同一性確認要求受付ステップが実行され、同一性確認部１６３ｆの同一性確認要求受付機能により上記受取り確認を受け付け、電子名刺ハッシュ値呼出ステップに移り、発行電子名刺通信部１６４ｆの電子名刺ハッシュ値呼出機能で電子名刺発行管理サーバー装置１６はブロックチェーンに対しＢＣハッシュ値を要求（Ｓ１３２４）してＢＣハッシュ値を取得（Ｓ１３２５）する。次に電子名刺ハッシュ値再生成ステップに移り、利用者Ａの名刺情報をハッシュ化して、ハッシュ値対比判断ステップにより同一性確認部１６３ｆのハッシュ値対比判断機能で利用者Ａの名刺情報のハッシュ値とブロックチェーン１４１上の利用者Ａの名刺情報のＢＣハッシュ値を比較して同一性の確認（Ｓ１３２６）を行い、ハッシュ値対比判断結果送信ステップに移り同一性確認部１６３ｆのハッシュ値対比結果送信機能により上記同一性の確認の結果を（Ｓ１３２７）利用者Ｂの利用者端末１１２に表示する。また電子名刺を発行したときの本人確認や所属確認の完了の有無も名刺上で判断できる。
【０１０１】
画面１５０５（ｅ）は同時に「仮会員登録」ボタンで電子名刺発行管理サーバー装置１６へ仮会員登録画面を要求（Ｓ１３２９）し、電子名刺発行管理サーバー装置１６は、仮会員登録画面を送信（Ｓ１３３０）し、利用者Ｂの会員登録画面に遷移することができ、画面１５０６（ｆ）が電子名刺会員登録画面である。利用者Ｂの電子名刺画像が表示され、利用者Ｂの携帯番号とパスワードを入力（Ｓ１３３１）し、「登録」ボタン（Ｓ１３３２）で携帯番号とパスワードを上記電子名刺発行管理サーバー装置１６へ送信（Ｓ１３３３）し、仮会員登録すると上記電子名刺発行管理サーバー装置１６は利用者Ｂの利用者端末１１２に登録完了通知を送信（Ｓ１３３５）し、画面１５０７（ｇ）へ仮会員登録完了のメッセージが表示される。再ログインすると本登録となりこれで未会員の利用者Ｂが会員になる。
【０１０２】
完了通知は利用者Ｂの利用者端末１１２のＳＭＳへも通知され、通知されたＵＲＬにより再ログインが可能となる。
【０１０３】
さらに、電子会議など遠隔での電子名刺の交換は利用者Ｂがまだ紙名刺運用者であっても第１の利用者Ａが用意したＱＲコードを電子会議の画面に表示することで、利用者ＢはこのＱＲコードを利用者Ｂの端末のカメラで読み取ることで電子名刺発行管理サーバー装置１６へアクセスすることができ、即座に電子名刺会員になり自分の紙名刺を電子名刺に変換して取り送り返すことが可能になる。
【０１０４】
図１６は会員同士の電子名刺の名刺交換を行う例であり、図１３と同様に発行電子名刺送信ステップである。利用者端末が電子名刺発行管理サーバー装置１６と接続されて、電子名刺発行管理サーバー装置１６がブロックチェーン１４１に接続する名刺交換を行う例である。利用者端末が直接ブロックチェーン１４１に接続する形態でも良い。ここでは利用者端末が電子名刺発行管理サーバー装置１６と接続されて、電子名刺発行管理サーバー装置１６がブロックチェーン１４１に接続する一例であるが、既に電子名刺の会員登録が完了している場合の名刺交換の動作図の例であり、図１７はこの動作の処理の利用者Ａが利用者Ｂへ送る場合の画面遷移の一例を示す。発行電子名刺通信部１６４ｆの、ＱＲコード生成読取機能と、発行電子名刺送信機能と、電子名刺ハッシュ値呼出機能と、により電子名刺の送信を行う。
【０１０５】
既に会員登録が完了している名刺交換を行おうとしている利用者Ａと利用者Ｂがログイン（利用者ＡはＳ１６０１で利用者ＢはＳ１６０２）を行うと図１７の画面１７０１（ａ）の画面に、「送る」と「受取る」の二つのボタンが表示される。
【０１０６】
まず第１の利用者Ａから第２の利用者Ｂへ送信を始める場合を説明する。
【０１０７】
利用者Ａは利用者Ａの持っている利用者端末１１１の上記画面１７０１（ａ）の「送る」ボタンをタップし（Ｓ１６０３）、端末１７０２（ｂ）でバックカメラを起動し、利用者Ｂは利用者Ｂの持っている利用端末１１２の上記画面１７０１（ａ）の「受取る」ボタンをタップし（Ｓ１６０４）、利用者Ｂのアドレスを変換したＱＲコードを表示（Ｓ１６０５）し、発行電子名刺通信部１６４ｆのＱＲコード生成読取機能で上記ＱＲコード表示の利用者Ｂの端末例１７０３（ｃ）を利用者Ａが読み取る（Ｓ１６０６）。
【０１０８】
利用者Ａの画面１７０４（ｄ）において利用者ＢのＱＲコードを枠内に入れて、場所を入力して「送信」ボタンをタップすると、発行電子名刺通信部１６４ｆの発行電子名刺送信機能により、電子名刺発行管理サーバー装置１６へ利用者Ｂのアドレスが送信され（Ｓ１６０７）、上記電子名刺発行管理サーバー装置１６は利用者Ａの送るべき一枚の電子名刺のＵＲＬを生成し、このＵＲＬをＳＭＳで利用者Ｂのアドレスへ送付（Ｓ１６０８）する。利用者Ｂが直接画面１７０４（ｄ）を表示しても良い。
【０１０９】
利用者Ｂの利用者端末１１２でこのアドレスへアクセスし（Ｓ１６０９）、引き続き発行電子名刺通信部１６４ｆの発行電子名刺送信機能により利用者Ａの電子名刺情報を送信し（Ｓ１６１０ ）、受取り完了画面である画面１８０１が表示（Ｓ１６１１）され、利用者Ａの電子名刺が表示し、利用者Ｂが受取り完了画面を表示したことを上記名刺発行管理サーバーに通知（Ｓ１６１１−１ ）し、さらに上記名刺発行管理サーバーは利用者Ａの利用者端末１１１へ通知する（Ｓ１６１２）。そして利用者Ａの画面１７０５の電子名刺送信完了画面が表示される（Ｓ１６１４）。
【０１１０】
一方、利用者Ｂの利用者端末１１２の上記受取り完了画面である上記画面１８０１の「受取り確認」からブロックチェーン１４１上の登録を確認することができ、上記画面１８０１「受取り確認」ボタンをタップすると、上記電子名刺発行管理サーバー装置１６へ受取り確認依頼を送信（Ｓ１６１３ ）し、次に同一性確認要求受付ステップが実行され、同一性確認部１６３ｆの同一性確認要求受付機能により上記受取り確認を受け付け、次に電子名刺ハッシュ値呼出ステップに移り、発行電子名刺通信部１６４ｆの電子名刺ハッシュ値呼出機能により、ブロックチェーン１４１上の利用者Ａの電子名刺のハッシュ値であるＢＣハッシュ値を要求し（Ｓ１６１５ ）、ＢＣハッシュ値を取得し（Ｓ１６１６ ）、次に電子名刺ハッシュ値再生成ステップに移り、同一性確認部１６３ｆの電子名刺ハッシュ値再生成機能で利用者Ａの電子名刺情報をハッシュ化し、ハッシュ値対比判断ステップにより、上記利用者Ａのハッシュ化したハッシュ値と上記ＢＣハッシュ値を同一性確認部１６３ｆのハッシュ値対比判断機能により、同一性を比較（Ｓ１６１７ ）し、ハッシュ値対比判断結果送信ステップに移り、同一性確認部１６３ｆのハッシュ値対比判断結果送信機能で、結果を電子名刺発行管理サーバー装置１６へ送信し（Ｓ１６１８ ）、上記電子名刺のハッシュ値と上記ＢＣハッシュ値の同一性の比較結果を上記画面１８０１へ表示する（Ｓ１６１９ ）。同一性確認部１６３ｆのハッシュ値対比判断手段はＢＣハッシュ値を送信する発行電子名刺通信部１６４ｆの呼出ハッシュ値送信機能を使って利用者端末１１２で行っても良い。
【０１１１】
次に利用者Ｂから利用者Ａに電子名刺を送る手順を説明する。
【０１１２】
利用者Ａの上記電子名刺送信完了画面である上記画面１７０５（ｅ）に表示されている「続いて相手の名刺を受け取りますか」との表示に基づいて「はい」ボタンをタップすると、電子名刺発行管理サーバー装置１６へ電子名刺送信画面の要求を送信し（Ｓ１６２０）、電子名刺発行管理サーバー装置１６から電子名刺送信画面を利用者Ａの利用者端末１１１に送信し（Ｓ１６２１）、利用者Ａの画面１７０６（ｆ）に遷移し、利用者Ｂが読み取るための利用者Ａの受取りアドレスから、発行電子名刺通信部１６４ｆのＱＲコード生成読取機能で、生成したＱＲコード（Ｓ１６２２）が提示画面である上記画面１７０６（ｆ）に表示される。
【０１１３】
図１８は主に利用者Ｂの電子名刺の受け渡し処理の場合の画面遷移の一例を示す。
【０１１４】
この利用者Ｂの画面１８０１（ａ）の「次へ」ボタンで、利用者ＡのアドレスであるＱＲコードを読むための画面１８０２（ｂ）に遷移し、バックカメラを備えた端末例１８０３（ｆ）が、発行電子名刺通信部１６４ｆのＱＲコード生成読取機能で、利用者Ａの端末例１８０４（ｅ）に表示の利用者ＡのアドレスであるＱＲコードを読み取る（Ｓ１６２３）。
【０１１５】
利用者Ｂの利用者端末１１２が読み取りを完了すると、発行電子名刺通信部１６４ｆの発行電子名刺送信機能により、利用者Ｂから電子名刺発行管理サーバー装置１６へ利用者Ａのアドレスが送信（Ｓ１６２４）され、電子名刺発行管理サーバー装置１６からＳＭＳで利用者Ｂの電子名刺情報を利用者Ａの利用者端末１１１に送信（Ｓ１６２５）され、利用者ＡがＳＭＳに記載されたアドレスから電子名刺発行管理サーバー装置１６へアクセスし利用者Ｂの電子名刺情報を要求し（Ｓ１６２５−１）、電子名刺発行管理サーバー装置１６から電子名刺受取り完了画面が送信（Ｓ１６２５−２）され、送信の完了画面である画面１８０６が表示される。
【０１１６】
利用者Ａの画面１８０５（ｅ）へ利用者Ｂの名刺の受取り確認が表示され（Ｓ１６２１）、利用者Ｂから利用者Ａへ電子名刺の送信が完了する。
【０１１７】
一方、利用者Ａの利用者端末１１１の上記受取り完了画面である上記画面１８０５の「受取り確認」からブロックチェーン１４１上の利用者Ｂの登録を確認することができ、上記画面１８０５「受取り確認」ボタンをタップすると、受取り確認依頼を送信し（Ｓ１６２７）、次に同一性確認要求受付ステップが実行され、同一性確認部１６３ｆの同一性確認要求受付機能により上記受取り確認を受け付け、次に電子名刺ハッシュ値呼出ステップに移り、発行電子名刺通信部１６４ｆの電子名刺ハッシュ値呼出機能により、ブロックチェーン１４１上の利用者Ａの電子名刺のＢＣハッシュ値を要求し（Ｓ１６２８）、ＢＣハッシュ値を取得し（Ｓ１６２９）、次に電子名刺ハッシュ値再生成ステップに移り、同一性確認部１６３ｆの電子名刺ハッシュ値再生成機能によって、利用者Ａの電子名刺情報をハッシュ化し、ハッシュ値対比判断ステップにより、同一性確認部１６３ｆのハッシュ値対比判断手段で上記利用者Ａのハッシュ値と上記利用者ＡのＢＣハッシュ値の同一性を比較（Ｓ１６３１）し、ハッシュ値対比判断結果送信ステップに移り、同一性確認部１６３ｆのハッシュ値対比判断結果送信機能でその結果を電子名刺発行管理サーバー装置１６から利用者端末１１１へ送信し（Ｓ１６３２）、上記電子名刺のハッシュ値と上記ＢＣハッシュ値の同一性の比較結果を上記画面１８０５へ表示する（Ｓ１６３３）。電子名刺発行管理サーバー装置１６のハッシュ値対比判断手段はＢＣハッシュ値を送信する呼出しハッシュ値送信機能を使って利用者端末１１１で行っても良い。
【０１１８】
次に、双方の名刺交換が完了していると上記画面１８０５（ｅ）の「チャット」ボタンと画面１８０６（ｄ）の「チャット」ボタンが有効になり「チャット」ボタンをタップ（Ｓ１６３４、Ｓ１６３５）すると画面１８０７（ｇ）のチャット画面（Ｓ１６３７、Ｓ１６３９）に遷移し交換後即座に利用が可能になる（Ｓ１６３６、Ｓ１６３８）。
【０１１９】
双方ともＱＲコードは電子会議などで遠隔地のディスプレイ画面に表示することができるので、相手のＱＲコードを自分の利用者端末の枠内に入れることで自分の名刺を即座に送ることができる。さらに相手は送られた名刺の発行者は本人確認されて所属確認がされているかが確認できる。
【０１２０】
この例のように、電子名刺発行管理サーバー装置１６がブロックチェーン１４１と接続される例では、ブロックチェーン１４１にアクセスするためにサーバーで秘密鍵を保持して管理を行う場合がある。
【０１２１】
図１９は、電子名刺でサービスの申し込み処理の一例を示す動作図である。このサービスはインターネットサービスでも店舗サービスでも良い。サービス通信部１６５ｆの、サービス事業者サーバー装置接続機能と、サービス申請機能と、によってサービス事業者のサービスの申請を行う。
【０１２２】
電子名刺はサービスの申し込みに対して電子会員カードとして機能する。
【０１２３】
図２１はこの動作で利用者Ａが利用者端末１１１でサービスを申し込む処理の画面一例を示す。
【０１２４】
ここでは「サービス１」を申し込む前提で説明を進める。なりすましやロボット操作などを防ぐため本人確認を含むサービスとしているが、本人確認なしの運用も考えられる。ただし、サービス事業者から見ると本人確認だけでなく所属確認が取れている利用者からの申請が重要である。
【０１２５】
サービスの申し込みにはあらかじめサービス事業者サーバー装置１５に電子名刺発行管理システムで用意してあるＡＰＩ（アプリケーションインターフェイス）（Ｓ１９０２）を組み込むことにより、サービス事業者サーバー装置１５から利用者Ａの利用者端末１１１に送信されたサービス事業者サイトのサービス申し込み画面に電子名刺を利用するためのボタンが表示される。
【０１２６】
画面２００１（ａ）はサービスの申請者である利用者Ａが上記サービス事業者サーバー装置１５にアクセスしサービス事業者サーバー装置１５からサービス事業者サイト画面が利用者端末１１１へ送信される（Ｓ１９０１）。上記画面２００１（ａ）はサービス事業者サイトのサービス１を表示し、上記ＡＰＩで「電子名刺を使う」ボタンを表示している。
【０１２７】
サービス通信部１６５ｆのサービス事業者サーバー装置接続機能により、上記画面２００１（ａ）の「電子名刺を使う」ボタンをタップしたときにサービス事業者サーバー装置１５へ電子名刺を利用することを通知し（Ｓ１９０３）、サービス事業者サーバー装置は電子名刺発行管理サーバー装置１６へ電子名刺ログイン要求を送信し、サービス通信部１６５ｆのサービス事業者サーバー装置接続機能により電子名刺ログイン画面を申請利用者の利用者端末に表示し上記画面２００２（ｂ）が表示する。
【０１２８】
サービス申請者の利用者Ａは利用者端末１１１で上記電子名刺ログイン画面に電子名刺会員のメールアドレスとパスワードを入力して電子名刺へログイン（Ｓ１９０４）する。画面２００３（c）はログイン後電子名刺発行管理サーバー装置１６から名刺画像情報をダウンロードし必要な項目を表示する（Ｓ１９０５）。事前にサービス事業者サーバー装置１５では上記ＡＰＩにより表示項目を選択できる。
【０１２９】
利用者Ａは新たなサービスの登録や会員登録の都度に氏名やふりがなや電話番号や会社名や住所などの多数の項目を毎回入力することが不要となる。
【０１３０】
サービス通信部１６５ｆのサービス申請機能により、上記サービス申請の利用者Ａの利用者端末の上記画面２００３（c）の「登録」ボタンをタップ（Ｓ１９０６）すると、発行電子名刺通信部１６４ｆの電子名刺ハッシュ値呼出機能により電子名刺発行管理サーバー装置１６へブロックチェーン１４１に登録されている電子名刺のハッシュ値の要求（Ｓ１９０８）を行う。
【０１３１】
発行電子名刺通信部１６４ｆの電子名刺ハッシュ値呼出機能はブロックチェーン１４１上の電子名刺のハッシュ値を検索しブロックチェーン１４１上のＢＣハッシュ値を取得し、同一性確認部１６３ｆの電子名刺ハッシュ値再生成機能で、電子名刺情報のハッシュ化を行い（Ｓ１９０９）、同一性確認部１６３ｆのハッシュ値対比判断機能で、再生成されたハッシュ値と上記ＢＣハッシュ値の差異を確認する（Ｓ１９１１）。次にハッシュ値対比判断結果送信ステップとして、同一性確認部１６３ｆのハッシュ値対比判断結果送信機能により、差異があれば同一性比較ＮＧ情報をサービス事業者サーバー装置１５へ送信（Ｓ１９１２−１）し、エラーを表示（Ｓ１９１３）し、なければ、発行電子名刺通信部１６４ｆの発行電子名刺送信機能により、申請利用者である利用者Ａの電子名刺情報をサービス事業者サーバー装置１５へ送信（Ｓ１９１２−２）し、サービス事業者サーバー装置１５でサービス１の登録（Ｓ１９１４）を行う。ハッシュ値対比判断をサービス事業者サーバー装置１５で行うためにサービス通信部１６５ｆのハッシュ値呼出送信機能で上記ＢＣハッシュ値をサービス事業者サーバー装置１５に送っても良い。
【０１３２】
サービス事業者サーバー装置１５からサービス通信部１６５ｆのサービス申請機能でサービス登録完了通知が電子名刺発行管理サーバー装置１６へ送信され、利用者Ａの利用者端末１１１の画面２００４（ｄ）にはサービス事業者のサービス１に対する申し込みが完了した画面画面（Ｓ１９１５−１）が表示される。
【０１３３】
サービス事業者は電子名刺情報から、この利用者の本人確認の有無や所属確認の有無が確認でき、サービス登録審査の判断に利用する。
【０１３４】
図２１は、電子名刺を利用したサービス利用処理を示す動作図である。ここでは利用者Ａがサービス１に参加しサービス事業者Ｃの対応を説明する。サービス通信部１６５ｆの、サービス事業者サーバー装置接続機能と、サービス利用機能と、によってサービス事業者のサービスの利用を行う。ここでも電子名刺は電子会員カードとして機能する。
【０１３５】
利用者Ａはサービスを利用する場合に、電子名刺発行管理システムにログインを行う（Ｓ２１０１）。
【０１３６】
図２２と図２３はこれらの動作でサービス事業者のサービス１を利用する処理画面の一例を示す。
【０１３７】
利用者Ａはサービスを選定するために画面２３０１（ａ）の「検索」ボタンをタップし（Ｓ２１０２）、電子名刺発行管理サーバー装置１６に登録しているサービス一覧を検索し、ここではサービス１を選びタップすると該当サービスを上記電子名刺発行管理サーバー装置１６へ通知する（Ｓ２１０３）。続いて上記電子名刺発行管理サーバー装置１６から該当サービスの詳細が送付され（Ｓ２１０４）、利用者Ａの利用者端末１１１の画面２２０２（ｂ）にサービスへ参加するための画面が表示され、「提示」ボタンをタップすると発行電子名刺通信部１６４ｆのＱＲコード生成読取機能で、事業者へ提示するためのＱＲコードが生成され、表示される（Ｓ２１０５）。
【０１３８】
サービス受付２２０４に訪れた２５０５である利用者Ａが２２０６であるサービス事業者Ｃへ来訪を告げると、上記２２０６であるサービス事業者Ｃが利用者Ａの利用者端末１１１の画面２２０２（ｂ）のＱＲコードを読み取ると（Ｓ２１０６）、サービス事業者Ｃの利用者端末は電子名刺発行管理サーバー装置１６へ申し込み番号の確認を行い（Ｓ２１０７）上記電子名刺発行管理サーバー装置１６は事業者サーバーへ申し込み番号を送信（Ｓ２１０８）する。事業者サーバーでも利用者の確認が取れると上記事業者サーバーから上記電子名刺発行管理サーバー装置１６へ利用者確認を送信する（Ｓ２１０９）。上記電子名刺発行管理サーバー装置１６からサービス事業者Ｃの端末２２０３（ｃ）に利用者確認が送信され（Ｓ２１１０）、確認画面が表示され（Ｓ２１１１）、サービス事業者Ｃは利用者Ａがサービス１の参加者であることを確認する。
【０１３９】
その後サービス事業者Ｃは画面２２０３で「承認」ボタンをタップ（Ｓ２１１２）すると、事業者サーバーへ承認情報が送られ（Ｓ２１１３）、電子名刺発行管理サーバー装置１６へ承認情報（Ｓ２１１４）が送られ、サービス許可情報（Ｓ２１１６）が利用者Ａの利用者端末１１１の画面２２０７（ｄ）へ表示される。
【０１４０】
画面２２０７（ｄ）の「チャット」ボタンをタップ（Ｓ２１２１）すると、利用者Ａの利用者端末１１１から上記電子名刺発行管理サーバー装置１６へチャット画面を呼び出し（Ｓ２１２２）、事前に事業者サーバーで用意されたメッセージ（Ｓ２１１７）が上記電子名刺発行管理サーバー装置１６へ送られ（Ｓ２１１８）、上記電子名刺発行管理サーバー装置１６から利用者端末１１１へ送信（Ｓ２１２３）されチャット画面（Ｓ２１２５）に表示する。
【０１４１】
図２３の画面２３０１（ａ）は上記Ａの利用者端末２２０７（ｄ）から遷移したチャット画面で、事業者からのメッセージがチャット上に表示される（Ｓ２１２１）。
【０１４２】
図２４は、電子名刺を利用しサービス事業者Ｃの無人端末１３２を使ったサービス利用処理を示す動作図である。ここでも電子名刺は電子会員カードとして機能する。ここでは利用者Ａがサービス１に参加しサービス事業者の対応を説明する。
【０１４３】
利用者Ａはサービスを利用する場合に、電子名刺発行管理システムにログインを行う（Ｓ２４０１）。
【０１４４】
図２５はこれらの動作でサービス事業者のサービス１を利用する処理画面の一例を示す。
【０１４５】
利用者Ａはサービス通信部１６５ｆのサービス利用機能により、サービスを選定するために画面２５０１（ａ）の「検索」ボタンをタップし（Ｓ２４０２）、サービス通信部１６５ｆのサービス利用機能によって、データベース１６６ｆに格納しているサービス一覧を検索し、ここではサービス１を選びタップすると該当サービスを上記電子名刺発行管理サーバー装置１６へ通知する（Ｓ２４０３）。続いて上記電子名刺発行管理サーバー装置１６から該当サービスの詳細が送付され（Ｓ２４０４）、利用者Ａの利用者端末１１１の画面２５０２（ｂ）にサービスへ参加するための画面が表示され読込みボタンをタップすることで、発行電子名刺通信部１６４ｆのＱＲコード生成読取機能により相手のＱＲコードを読み取るモードになる。
【０１４６】
サービス受付２５０４に訪れた２５０５である利用者Ａが来訪を告げるために、端末例２５０６であるサービス事業者Ｃの無人端末１３２に表示されているＱＲコード（Ｓ２４０５）を、利用者Ａの利用者端末で読取る（Ｓ２４０６）。利用者Ａの画面２５０２（ｂ）で読取ると電子名刺発行管理サーバー装置１６へ会場コードが送信（Ｓ２４０７）され、電子名刺発行管理サーバー装置１６はサービス事業者サーバー装置１５へ利用者Ａのサービス申し込み番号を送信（Ｓ２４０８）する。
【０１４７】
サービス事業者サーバー装置１５は利用者Ａが申込者であることを確認（Ｓ２４０９）し、歓迎情報をサービス事業者Ｃの無人端末１３２へ送信（Ｓ２４１０）し、同様に承認情報を電子名刺発行管理サーバー装置１６に送信（Ｓ２４１２）登録（Ｓ２４１３）され、無人端末１３２に歓迎メッセージ（Ｓ２４１１）が表示され、電子名刺発行管理サーバー装置１６から利用者Ａの利用者端末１１１へサービス許可情報が送られて（Ｓ２４１４）利用者端末１１１へ許可情報が表示（Ｓ２４１５）される。
【０１４８】
サービス事業者サーバー装置１５は利用者Ａの参加するサービス１の情報をメッセージとして準備（Ｓ２４１６）し、電子名刺発行管理サーバー装置１６へ送信（Ｓ２４１７）してチャットへ準備が行われる。利用者Ａが事業者からの参加許可情報が表示された画面である画面２５０７（ｄ）の「チャット」ボタンをタップ（Ｓ２４１８）すると、利用者Ａの利用者端末１１１から電子名刺発行管理サーバー装置１６へチャット画面の呼び出し（Ｓ２４１９）が送られ、電子名刺発行管理サーバー装置１６で用意されたメッセージが利用者Ａの利用者端末１１１へ送られ（Ｓ２４２０）、チャット画面（Ｓ２４２１）に表示する。
【０１４９】
図２３の画面２３０１（ａ）は上記利用者Ａの利用者端末２０７（ｄ）から遷移したチャット画面であり、事業者からのメッセージがチャット上に表示される（Ｓ２４２４）。
【産業上の利用可能性】
【０１５０】
電子名刺に本人確認機能が付加されることで、既存インターネットサービスでの可用性が高まる。
【符号の説明】
【０１５１】
１１  ：利用者Ａ
１１１：Ａの利用者端末
１２  ：利用者Ｂ
１２１：利用者Ｂの利用者端末
１３  ：サービス事業者Ｃ
１３１：サービス事業者Ｃの利用者端末
１３２：サービス事業者Ｃの無人端末
１４  ：インターネット通信ネットワーク
１４１：ブロックチェーン
１５  ：サービス事業者サーバー装置
１６  ：電子名刺発行管理サーバー装置
１６ｆ：電子名刺発行管理サーバー装置の機能構成図
１６１ｆ：会員情報登録部
１６２ｆ：電子名刺作成発行部
１６３ｆ：同一性確認部
１６４ｆ：発行電子名刺通信部
１６５ｆ：サービス通信部
１６６ｆ：データベース
３０１：電子名刺の初期画面
３０２：利用者が会員を登録する画面
３０３：利用者のプロフィール入力画面
３０４：会員の仮登録完了画面
３０５：会員の仮登録後の電子名刺のログイン画面
４０１：会員の仮登録後のブロックチェーン登録画面
４０２：会員のブロックチェーンに登録完了画面
４０３：電子名刺トップ画面
４０４：電子名刺会員ブロックチェーン確認画面
５０１：本人確認登録の初期画面
５０２：顔写真付き証明書と社会保険証書を取り込む利用者端末
５０３：撮影内容を確認して送信する画面
５０４：顔写真付き証明書のセルフィー撮影を行う利用者端末
５０５：顔写真付き証明書（運転免許証の例）
５０５−１：社会保険証書（雇用保険被保険者証の例）
５０６：セルフィー撮影時の顔写真付き証明書（運転免許証の例）
５０７：本人確認を行う利用者
６０１：本人情報確認証画像を送信する画面例
６０２：本人確認処理が完了した画面例
６０３：顔写真付き証明書画像解析の例
６０４：セルフィー画像解析の例
６０５：社会保険証書画像解析の例
６０６：社会保険証書画像のテキスト化の例
６０７：名刺会員情報
８２１：法人会員の登録画面例
８２２：法人会員登録時の再ログイン画面の例
８２３：法人会員画面
８２４：法人会員の社員一覧画面
８２５：法人会員の社員登録画面
１００１：自名刺登録画面
１００２：自名刺を撮影する利用者端末
１００３：利用者Ｂが渡す紙名刺
１００４：利用者Ｂの名刺情報を入力する画面
１００５：利用者Ｂの名刺情報を続いて入力する画面
１００６：自名刺の登録完了画面
１２０１：電子名刺の発行準備画面
１２０２：電子名刺の発行画面
１２０３：電子名刺の発行完了画面
１２０４：電子名刺の表示の一例
１４０１：利用者Ａ
１４０２：利用者Ｂの紙名刺
１４０３：利用者Ｂ
１４０４：利用者Ｂの名刺を撮影する利用者Ａの利用者端末
１４０５：利用者Ｂの紙名刺
１４０６：利用者Ｂの名刺画像を読み込む利用者Ａの利用者端末
１４０７：利用者Ｂの名刺画像のサーバー登録利用者Ａ完了画面
１４０８：利用者Ｂへ提示するＱＲコードを表示した利用者Ａの利用者端末
１５０１：利用者Ｂに向けたＱＲコードを表示した利用者Ａの利用者端末
１５０２：利用者Ａの利用者端末のＱＲコードを読み取る利用者Ｂの利用端末
１５０３：利用者ＡのＱＲコード読み取った利用者Ｂの画面例
１５０４：利用者Ａへ向けたＱＲコードを表示する利用者Ｂの提示画面例
１５０４−１：利用者ＢのＱＲコードを読み取る利用者Ａの利用者端末
１５０４−２：利用者Ａの利用者端末に読み取らせる利用者Ｂの利用者端末
１５０５：利用者Ａの電子名刺を受け取った利用者Ｂの利用者端末画面例
１５０６：利用者Ｂが会員登録を行う画面例
１５０７：利用者Ｂが会員登録を完了した画面例
１７０１：電子名刺交換画面
１７０２：カメラで相手のＱＲコードを読み取る利用者Ａの利用者端末
１７０３：ＱＲコードを表示する利用者Ｂの利用者端末
１７０４：相手のＱＲコードを読んでいる送信端末
１７０５：利用者Ａの電子名刺を受取った相手の利用者端末
１７０６：相手名刺を受取るＱＲコードを表示した利用者Ａの提示画面
１８０１：利用者Ａの名刺を受取った利用者Ｂの利用者端末完了画面
１８０２：利用者Ａの名刺を受取るＢの画面
１８０３：利用者Ａの利用者端末を読み取る利用者Ｂの利用者端末
１８０４：利用者Ｂの利用者端末が読み取る利用者Ａの利用者端末
１８０５：利用者Ｂの名刺を受取った利用者Ａの完了画面
１８０７：利用者Ｂの電子名刺送信完了画面
２００１：サービス事業者の申し込みサイト画面例
２００２：電子名刺発行管理システムのログイン画面
２００３：電子名刺を利用したサービスの登録画面
２００４：サービス事業者サイトに表示された登録完了画面例
２２０１：利用者が検索しサービス１を選択する画面
２２０２：利用者がサービス事業者に提示するＱＲコード画面
２２０３：サービス事業者Ｃの利用者端末に表示する承認画面
２２０４：サービス受付
２２０５：サービスに参加した利用者Ａ
２２０６：サービス事業者Ｃ
２２０７：サービス事業者からの許可情報を受け取った利用者画面
【図１】
0006850463.tif 000003
【図２】
0006850463.tif 000004
【図３】
0006850463.tif 000005
【図４】
0006850463.tif 000006
【図５】
0006850463.tif 000007
【図６】
0006850463.tif 000008
【図７】
0006850463.tif 000009
【図８】
0006850463.tif 000010
【図９】
0006850463.tif 000011
【図１０】
0006850463.tif 000012
【図１１】
0006850463.tif 000013
【図１２】
0006850463.tif 000014
【図１３】
0006850463.tif 000015
【図１４】
0006850463.tif 000016
【図１５】
0006850463.tif 000017
【図１６】
0006850463.tif 000018
【図１７】
0006850463.tif 000019
【図１８】
0006850463.tif 000020
【図１９】
0006850463.tif 000021
【図２０】
0006850463.tif 000022
【図２１】
0006850463.tif 000023
【図２２】
0006850463.tif 000024
【図２３】
0006850463.tif 000025
【図２４】
0006850463.tif 000026
【図２５】
0006850463.tif 000027